(57)【要約】【課題】  施工コストの増大を招くことなく作業負担を軽減することができる床下装置の点検構造を提供する。【解決手段】  住宅１０の玄関ホール１３の床１３ａに、床下空間１１に配置された換気装置１２のフィルタユニット１９の直上で、点検作業員が床下空間１１に進入可能な大きさを有する点検口２０が形成されている。フィルタユニット１９は、床１３ａに沿って移動可能である。【選択図】  図２
2006316576.tif 000002
【特許請求の範囲】
【請求項１】
建物の床下空間に配置される装置を点検すべく前記床に前記装置の直上に形成され、点検作業員が前記床下空間に進入可能な大きさを有する点検口を備え、前記装置は、前記床に沿って移動可能であることを特徴とする床下装置の点検構造。
【請求項２】
前記床下空間には、前記点検口の下方を前記床に沿って伸びるレールが配置されており、前記装置は、その移動が前記レールに沿って案内されることを特徴とする請求項１に記載の床下空間の点検構造。
【請求項３】
前記装置は、前記建物内を換気するための換気装置の一部であるフィルタユニットであり、該換気装置は、前記フィルタユニットに接続され、前記建物内に外気を取り入れるための換気装置本体を備えることを特徴とする請求項１乃至２に記載の床下空間の点検構造。
【請求項４】
前記フィルタユニットには、外気を前記フィルタユニットに案内するための管部材と、前記フィルタを通過した外気を前記換気装置本体に案内するための管部材とがそれぞれ接続されており、前記両管部材は、それぞれ可撓性を有し且つ前記フィルタユニットの移動を許容すべく十分な長さを有することを特徴とする請求項３に記載の床下装置の点検構造。
【発明の詳細な説明】
【技術分野】
【０００１】
本発明は、建物の床下空間に配置された装置を、床に形成された点検口から点検する床下装置の点検構造に関する。
【背景技術】
【０００２】
従来、建物の床下空間に、例えば建物内を換気するための換気装置が設けられた構造が知られている（例えば、特許文献１参照。）。換気装置は、建物内に外気を取り入れるための換気装置本体と、該換気装置本体により取り入れられた外気から該外気に混ざった塵埃を除去するためのフィルタを備えるフィルタユニットとを備える。フィルタユニットのフィルタの交換は、例えば半年に一回行われ、比較的頻度が高く、また、換気装置本体の保守及び点検は、例えば５年に一回行われ、比較的頻度が低い。
【０００３】
このようなフィルタユニットのフィルタの交換作業や換気装置本体の点検作業は、作業員が床下に進入することにより行われている。しかしながら、作業を行う度に体全体を床下空間に進入させる必要があるため、作業負担が大きい。そこで、建物の床にフィルタユニット及び換気装置本体のそれぞれの専用の点検口を各装置の直上又はその近傍に設けることが考えられる。これによれば、作業を行う度に床下空間に進入することなく、室内で作業を行うことができるので、点検作業の負担を軽減させることができる。
【特許文献１】特許３００２９６２号
【発明の開示】
【発明が解決しようとする課題】
【０００４】
しかしながら、建物の床にフィルタユニット及び換気装置本体のそれぞれの専用の点検口を設ける場合、点検口を二つ形成する必要があるため、作業工程数が増加し、施工コストの増大を招く。
【０００５】
そこで、本発明の目的は、施工コストの増大を招くことなく作業負担を軽減することができる床下装置の点検構造を提供することにある。
【課題を解決するための手段】
【０００６】
上記課題を解決するために、本発明は、建物の床下空間に配置される装置を点検すべく前記床に前記装置の直上に形成され、点検作業員が前記床下空間に進入可能な大きさを有する点検口を備える床下装置の点検構造であって、前記装置は、前記床に沿って移動可能であることを特徴とする。
【０００７】
上記の構成によれば、建物の床に、床下空間に配置された装置の直上で、該装置の点検を行うための点検口が形成されていることから、装置を点検する際、床下空間に進入することなく室内で点検作業を容易に行うことができる。
【０００８】
また、点検口の大きさが、床下空間への点検作業員の進入を許す大きさを有しており、装置が床に沿って移動可能であることから、前記装置に加えて他の装置が床下空間に配置されている場合、前記装置を移動させ、点検口から床下空間に進入することにより、前記他の装置の点検作業を行うことができる。
【０００９】
従って、床下空間に、例えば点検頻度が高い装置と点検頻度が少ない装置とが配置された場合、点検頻度が高い一方の装置の直上に点検口を形成し、該一方の装置を移動可能とすることにより、該装置を点検するときは、床下に進入することなく室内から点検作業を容易に行うことができ、他方、点検頻度が低い他方の装置を点検するときは、前記一方の装置を移動させ、床下空間に進入することにより、前記他方の装置の点検作業を行うことができる。
【００１０】
上記の構成において、床下空間に、点検口の下方を床に沿って伸びるレールを配置し、該レールに沿って装置の移動を案内することができる。これにより、装置の移動を簡単な構造でより容易に行うことができる。
【００１１】
また、上記の構成において、前記装置を、建物内の換気をするための換気装置の一部であるフィルタユニットで構成することができ、換気装置に、そのフィルタユニットに接続され外気を建物内に取り入れるための換気装置本体を備える換気装置を用いることができる。
【００１２】
この場合、フィルタユニットのフィルタを交換するときは、その交換作業を床下空間に進入することなく室内で行うことができ、また、換気装置本体を点検するときは、フィルタユニットを移動させ、点検口から床下内に進入することにより、換気装置本体の点検作業を行うことができる。
【００１３】
更に、上記の構成において、外気をフィルタユニットに案内するための管部材と、フィルタを通過した外気を換気装置本体に案内するための管部材とがフィルタユニットに接続されている場合、両管部材を、可撓性を有し且つフィルタユニットの移動を許容すべく十分な長さを有する管部材で構成することができる。
【００１４】
これにより、フィルタユニットの移動時に両管部材がフィルタユニットから受ける各管部材の軸線に沿った引張り力及び圧縮力によって各管部材が破損することを、確実に防止することができる。
【発明の効果】
【００１５】
本発明によれば、床下空間に進入することなく床に形成された点検口から室内で点検作業を容易に行うことができることから、従来のように点検作業を行う度に床下空間に進入する場合に比べて、点検作業の作業負担を確実に軽減することができる。また、床下空間に二つ以上の装置が配置された場合には、単一の点検口から各装置の点検作業を行うことができることから、従来のように床に各装置の専用の点検口を形成する場合に比べて、施工コストの増大を確実に抑制することができる。
【発明を実施するための最良の形態】
【００１６】
本発明を図示の実施例に沿って説明する。
【実施例】
【００１７】
図１は、住宅１０の床下空間１１に配置された換気装置１２を点検する構造に、本発明を適用した例を示す。住宅１０は、図示の例では、二階建ての住宅１０で構成されている。住宅１０の一階には、屋外に面した玄関ホール１３及び二つの居室１４，１５が設けられており、二階には、二つの居室１６，１７が設けられている。
【００１８】
本発明に係る換気装置１２は、外気を吸引して各階の各居室１４，１５，１６，１７に供給するための換気装置本体１８と、該換気装置本体により吸引された外気から該外気に混ざった塵埃を取り除くためのフィルタユニット１９とを備える。換気装置本体１８及びフィルタユニット１９は、図示の例では、それぞれ床下空間１１に玄関ホール１３の下方で配置されている。
【００１９】
玄関ホール１３の床１３ａには、換気装置本体１８及びフィルタユニット１９の点検を行うべく玄関ホール１３と床下空間１１とを連通させる点検口２０が形成されている。点検口２０には、該点検口を開閉するための開閉扉２１が設けられている。点検口２０は、点検作業員が玄関ホール１３内から床下空間１１内に進入可能な大きさを有する。
【００２０】
フィルタユニット１９は、図２に示すように、点検口２０の真下に配置されており、上方へ開放する箱型のハウジング２２と、該ハウジングの開口２２ａを開閉する蓋体２３と、ハウジング２２内に収納される図示しないフィルタとを備える。ハウジング２２には、図１に示すように、一端２５ａが玄関ホール１３の屋外に面する壁１３ｂに形成された開口２４で屋外に開放する第一の取入管２５の他端２５ｂが接続されている。第一の取入管２５は、ハウジング２２から床下空間１１内を玄関ホール１３の床に沿って床下空間１１を規定するコンクリート基礎２６に向けて伸び、更に、該基礎の近傍で上方へ向けて玄関ホール１３の床１３ａを貫通し、玄関ホール１３の前記壁１３ｂに向けて伸びる。
【００２１】
換気装置本体１８は、図１に示す例では、コンクリート基礎２６に固定されている。換気装置本体１８には、一端２７ａがフィルタユニット１９のハウジング２２に接続された第二の取入管２７の他端２７ｂが接続されている。すなわち、換気装置本体１８は、第二の取入管２７を介してフィルタユニット１９に接続されている。
【００２２】
第一及び第二の両取入管２５，２７は、図示の例では、それぞれ可撓性を有する管部材からなる。また、第一及び第二の両取入管２５，２７は、それぞれフィルタユニット１９の後述する移動を許容する長さを有し、図１に示すように、フィルタユニット１９が点検口２０の下方に位置している状態で撓み変形している。
【００２３】
換気装置本体１８が作動すると、外気は、第一の取入管２５内に吸引され、該取入管内を通りフィルタユニット１９のハウジング２２内に案内される。フィルタユニット１９のハウジング２２内に案内された外気は、フィルタユニット１９の前記フィルタを通過することにより、外気に混入した塵埃と分離される。塵埃と分離された外気は、第二の取入管２７を通り、換気装置本体１８に案内される。
【００２４】
また、換気装置本体１８には、該換気装置本体で吸引した外気を各階の各居室１４，１５，１６，１７内に案内するための給気管２８が接続されている。給気管２８は、換気装置本体１８から床下空間１１内を伸びており、その先端２８ａには、給気管２８から分岐する４本の分岐管２９，３０，３１，３２が接続されている。４本の分岐管２９，３０，３１，３２のうち２本の分岐管２９，３０は、それぞれ給気管２８の先端２８ａから床下空間１１内を一階の各居室１４，１５へ向けて伸びており、それぞれの先端２９ａ，３０ａは、一階の各居室１４，１５の各床１４ａ，１５ａに形成された各給気口３３，３４で各居室１４，１５内に開放している。また、４本の分岐管２９，３０，３１，３２のうち他の２本の分岐管３１，３２は、それぞれ給気管２８の先端２８ａから一階の各居室１４，１５を規定する壁３５の内部を二階へ向けて伸び、更に、二階の各居室１６，１７の各床１６ａ，１７ａの内部を伸びており、それぞれの先端３１ａ，３２ａは、二階の各居室１６，１７の各床１６ａ，１７ａに形成された給気口３６，３７で二階の各居室１６，１７内に開放している。
【００２５】
フィルタユニット１９を経て換気装置本体１８に案内された外気は、換気装置本体１８によって給気管２８へ放出され、その後、各分岐管２９，３０，３１，３２を通って各階の各居室１４，１５，１６，１７内に案内される。また、換気装置本体１８は、玄関ホール１３内に開放する吸気管３８を介して住宅１０内の空気を吸引し、玄関ホール１３の前記壁１３ｂに形成された開口３９で屋外に開放する排気管４０を介して、吸引した住宅１０内の空気を屋外に排出する。これにより、住宅１０内の空気を入れ替えることができる。
【００２６】
本発明に係る床下装置の点検構造では、図２に示すように、床下空間１１内に、玄関ホール１３の床１３ａに沿って該床に間隔をおいて伸びる一対のレール４１（図２には、一方のレール４１が示されている。）が設けられている。各レール４１は、互いに平行に且つ該両レール間にフィルタユニット１９のハウジング２２を該ハウジングの側方から挟み込むように配置されており、図示の例では、それぞれ玄関ホール１３の床１３ａに例えば図示しないボルト及びナットのような締結具により固定されている。
【００２７】
また、フィルタユニット１９のハウジング２２の各レール４１に対向する各側壁２２ｂ（図２には、一方の側壁２２ｂが図示されている。）には、それぞれ一対の車輪４２が各レール４１に沿って互いに間隔をおいて回転可能に取り付けられている。各車輪４２は、それぞれ各レール４１にその上方から係合しており、これにより、フィルタユニット１９は、各レール４１に沿って移動可能となる。
【００２８】
フィルタユニット１９の前記フィルタの交換は、一年間に数回行われる。このフィルタ交換時には、図２に示すように、先ず、玄関ホール１３の床に形成された点検口２０の開閉扉２１を持ち上げることにより、点検口２０を開放する。次に、点検口２０から露出したフィルタユニット１９のハウジング２２の蓋体２３を持ち上げることによりハウジング２２の開口２２ａを開放させ、ハウジング２２内に収納された前記フィルタを新しいフィルタと交換する。フィルタを交換した後、フィルタユニット１９のハウジング２２の蓋体２３及び点検口２０の開閉扉２１をそれぞれ閉め、これにより、フィルタユニット１９のフィルタ交換作業が終了する。
【００２９】
他方、換気装置本体１８の点検は、数年に一回行われる。この換気装置本体１８の点検時には、図３に示すように、点検口２０の開閉扉２１を持ち上げることにより点検口２０を開ける。
【００３０】
次に、点検口２０から露出したフィルタユニット１９を、各レール４１に沿って例えば第一の取入管２５側すなわち図２で見て左方向へ移動させる。このとき、フィルタユニット１９のハウジング２２の各側壁２２ｂに、前記したように、それぞれ一対の車輪４２が設けられていることから、フィルタユニット１９のハウジング２２に各レール４１に沿った力を作用させることにより、フィルタユニット１９を各レール４１に沿って容易に移動させることができる。また、フィルタユニット１９のハウジング２２に接続された第一の取入管２５及び第二の取入管２７が、前記したように、それぞれ可撓性を有し且つフィルタユニット１９の移動を許容する長さを有していることから、フィルタユニット１９の移動により、図３に示すように、第一の取入管２５は、より大きく撓み変形し、第二の取入管２７は撓み変形した状態から直線状に変形する。これにより、第一の取入管２５がフィルタユニット１９から第一の取入管２５の軸線に沿った圧縮力を受けることが防止され、また、第二の取入管２７がフィルタユニット１９及び換気装置本体１８から外れる程の引っ張り力を第二の取入管２７がフィルタユニット１９から受けることが防止される。
【００３１】
フィルタユニット１９を移動させることにより、床下空間１１の点検口２０の真下の空間が空く。尚、点検口２０の下方の空間を完全に空けるために、移動したフィルタユニット１９が全体的に床１３ａの下方に隠れるように各レール４１の長さを設定することができる。
【００３２】
その後、点検口２０から各レール４１間を通って床下空間１１内に進入し、換気装置本体１８の点検を行う。このとき、点検口２０は、前記したように、点検作業員が玄関ホール１３内から床下空間１１内に進入可能な大きさを有していることから、作業員は、点検口２０から床下空間１１に容易に進入することができる。換気装置本体１８の点検が終了し、床下空間１１から点検口２０を経て再び住宅１０内に戻った後、フィルタユニット１９を各レール４１に沿って点検口２０の真下に移動させる。フィルタユニット１９を点検口２０の真下まで容易に引戻すために、フィルタユニット１９のハウジング２２に例えば図示しない紐を取り付けることができる。最後に、点検口２０の開閉扉２１を閉めることにより、点検作業が終了する。
【００３３】
上記した換気装置本体１８の点検作業は、フィルタユニット１９を第二の取入管２７側すなわち図２で見て右方向へ移動させた場合も、同様に行われる。
【００３４】
このように、住宅１０の玄関ホール１３の床１３ａに、床下空間１１に配置されたフィルタユニット１９の直上で点検口２０が形成されていることから、比較的頻繁に行われるフィルタユニット１９のフィルタ交換時に、床下空間１１に進入することなく室内で交換作業を容易に行うことができる。
【００３５】
また、点検口２０の大きさが、床下空間１１への点検作業員の進入を許す大きさを有しており、フィルタユニット１９は、玄関ホール１３の床１３ａに沿って移動可能であることから、床下空間１１に配置された換気装置本体１８の点検時、フィルタユニット１９を移動させ、点検口２０から床下空間１１に進入することにより、換気装置本体１８の点検作業を容易に行うことができる。
【００３６】
従って、床下空間１１に進入することなく室内で床１３ａに形成された点検口２０から点検作業を容易に行うことができることから、従来のように点検作業を行う度に床下空間１１に進入する場合に比べて、点検作業の作業負担を確実に軽減することができる。また、単一の点検口２０から換気装置本体１８及びフィルタユニット１９の点検作業を行うことができることから、従来のように床に各装置の専用の点検口を形成する場合に比べて、施工コストの増大を確実に抑制することができる。
【００３７】
従来のように、床下空間に配置された二つの装置の専用の点検口を床に形成する場合、各点検口を形成することができる位置に各装置を配置する必要があるため、各装置の配置に制限を受ける。
【００３８】
これに対し、本実施例によれば、前記したように、単一の点検口２０から換気装置本体１８及びフィルタユニット１９の点検作業をそれぞれ行うことができることから、換気装置本体１８及びフィルタユニット１９の配置に制限を受けることを従来に比べて確実に抑制することができる。
【００３９】
また、前記したように、床下空間１１に、点検口２０の下方を床１３ａに沿って伸びる一対のレール４１を配置し、該各レールに沿ってフィルタユニット１９の移動が案内されることから、フィルタユニット１９の移動を簡単な構造でより容易に行うことができる。
【００４０】
更に、前記したように、フィルタユニット１９に接続された第一及び第二の両取入管２５，２７が、可撓性を有し且つフィルタユニット１９の移動を許容すべく十分な長さを有することから、フィルタユニット１９の移動時に各取入管２５，２７がフィルタユニット１９から受ける引張り力及び圧縮力によって各取入管２５，２７が破損することを、確実に防止することができる。
【００４１】
本実施例では、フィルタユニット１９の移動が一対のレール４１に沿って案内される例を示したが、これに代えて、床下空間１１に例えば床に沿って伸びるように配置された単一のレールに沿ってフィルタユニット１９の移動を案内することができる。この場合、図示しないが、点検口２０を横切るようにレールを配置し、該レールにフィルタユニット１９を例えば滑車を介して吊るすことにより、フィルタユニット１９をレールに沿って移動させることができる。
【００４２】
また、本実施例では、フィルタユニット１９を移動させるための手段に、一対のレール４１を用いた例を示したが、これに代えて、フィルタユニット１９を点検口２０の真下から移動させることができる手段であれば、レール４１以外の手段を本発明に用いることができる。
【００４３】
更に、本実施例では、フィルタユニット１９に接続された第一及び第二の両取入管２５，２７が、可撓性を有し且つフィルタユニット１９の移動を許容する長さを有する例を示したが、これに代えて、各取入管２５，２７を、全体的に又は部分的に、その軸線方向に伸縮可能な蛇腹状に形成することができる。
【００４４】
また、本実施例では、床下空間１１に配置された換気装置１２を点検する点検構造に、本発明を適用した例を示したが、これに代えて、例えば床下空間１１に配置された空調装置のように換気装置１２以外の装置を点検する構造に、本発明を適用することができる。
【００４５】
更に、本実施例では、二階建ての住宅１０に本発明を適用した例を示したが、これに代えて、例えば平屋や三階建て以上の住宅、又は、住宅以外の建物に本発明を適用することができる。
【図面の簡単な説明】
【００４６】
【図１】本発明に係る床下装置の点検構造が適用された住宅を概略的に示す縦断面図である。
【図２】フィルタユニットのフィルタ交換時の状況を概略的に示す縦断面図である。
【図３】換気装置本体の点検時の状況を概略的に示す縦断面図である。
【符号の説明】
【００４７】
１０  建物（住宅）
１１  床下空間
１３ａ  床（玄関ホールの床）
１８  換気装置本体
１９  装置（フィルタユニット）
２０  点検口
２５，２７  管部材（第一の取入管、第二の取入管）
４１  レール
【図１】
2006316576.tif 000003
【図２】
2006316576.tif 000004
【図３】
2006316576.tif 000005